(57)【要約】【課題】高品質の画像をインクジェット印刷できるプレコート仕様の塗装金属板を提供する。【解決手段】下地金属板１のインク受容塗膜２に所定パターンで設けたインクジェットインク層３により印刷画像が付与される。必要に応じ、クリア上塗り塗膜４やプライマ層５を形成できる。インク受容塗膜２は、数平均分子量：１，０００〜３５，０００、水酸基価：２〜１２０ｍｇＫＯＨ／gのポリエステル樹脂（ａ）と、固形分質量比：（ａ）／（ｂ）＝９／１〜６／４でポリイソシアネート化合物を配合した塗料から成膜されている。【選択図】図１
2008272979.tif 000002
【特許請求の範囲】
【請求項１】
色材顔料、高沸点溶剤及び樹脂分散物を含む非水系顔料インクを用いてインクジェット印刷する塗装金属板であり、（ａ）数平均分子量：１，０００〜３５，０００、水酸基価：２〜１２０ｍｇＫＯＨ／ｇのポリエステル樹脂と（ｂ）ポリイソシアネート化合物を、ポリエステル樹脂とポリイソシアネート化合物の固形分質量比が（ａ）／（ｂ）＝９／１〜６／４で含む塗料から成膜されたインク受容塗膜が金属板表面に形成されていることを特徴とする非水系インクジェット印刷用塗装金属板。
【請求項２】
ポリイソシアネート化合物が脂肪族又は脂環族ジイソシアネート、及びこれらのブロック化イソシアネートから選ばれた一種又は二種以上である請求項１記載の非水系インクジェット印刷用塗装金属板。
【請求項３】
非水系インクを用いたインクジェット印刷でインク層が請求項１記載のインクジェット受容塗膜に設けられているインクジェット印刷塗装金属板。
【発明の詳細な説明】
【技術分野】
【０００１】
本発明は、溶剤系(非水系)顔料インクを用いたインクジェット印刷で鮮明性、耐久性に優れた印刷画像を付与でき、プレコート用途に必要な加工性、耐磨耗性等の特性を備えた塗装金属板及びインクジェット印刷塗装金属板に関する。
【背景技術】
【０００２】
フルカラー広告看板、金属系サイディング、装飾用内装材、装飾用外装材、装飾用床材、エレベータ扉材、電化製品や什器の表装材等の意匠塗装金属板では、スクリーン印刷、グラビア-オフセット印刷等で所定の印刷模様が施されている。
最近では、小ロット対応、無製版化によるコスト削減が可能なインクジェット印刷の適用も検討されている。インクジェット印刷はデジタル画像処理の技術進展に伴い普及してきた印刷技術であり、インクジェット設備を組み込んだ塗装ライン(特許文献１)も知られている。
【０００３】
インクジェット印刷用のインクは、着色成分に応じて染料インク、顔料インクに大別される。染料インクは、顔料インクに比較して彩度が高く発色が良好なものの、耐水性が低く色調の耐候性にも劣るので、屋外で長期間使用される建材等の用途には不向きとされてきた。他方、顔料インクは発色性で染料インクに劣るものの、耐候性の良好な有機又は無機顔料の使用により長期にわたる屋外使用が可能な印刷物が得られる。
【０００４】
顔料インクの媒体には、水系と溶剤系(非水系)がある。
水系顔料インクは、成分の大半が水であるので臭気がなく環境に優しいが、親水性のインク受容塗膜を必要とするため外部から不測の水分が塗膜に浸透しやすい。水分の浸透は、被印刷物に施した印刷画像を滲ませ、インク受容塗膜の剥離原因にもなる。インク受容塗膜に透明粘着フィルムを貼り合せるフィルムラミネートや耐水性クリア塗膜で覆うオーバーコート塗装により耐水性を改善できるが、積層したフィルムや塗膜が疵付くと疵付き部端面から水分浸透が始まるので、根本的な耐水処理が困難である。
【０００５】
溶剤系(非水系)顔料インクは、臭気を発するものの、水系顔料インクと比較してインク層、インク受容塗膜の何れも耐水性に優れている。しかし、従来の溶剤系顔料インク用のインク受容塗膜は、顔料インクの吸収性を向上させるため炭酸カルシウムやカオリン等の無機フィラーを大量添加した樹脂層である(特許文献２、３)。
大量の無機フィラーが分散している塗膜には無数の微細空隙が生じており、微細空隙を介した毛管現象により顔料インクが拡がることなく速やかに吸収される。その結果、滲みが少なく画質が向上した印刷画像を付与できる。しかし、無機フィラーの大量分散により伸び率の小さな硬質塗膜になるので、切断，曲げ加工等が予定されているプレコート金属板に必要な加工性、耐磨耗性を満足していない。
【０００６】
【特許文献１】特開平８−８０４６５号公報
【特許文献２】特開２００１−２６０５２４号公報
【特許文献３】特開２００１−２６０５２５号公報
【発明の開示】
【発明が解決しようとする課題】
【０００７】
無機フィラーは顔料インクの吸収・定着に有効であるものの、多量添加するとプレコート金属板の塗膜物性が劣化する。そこで、本発明者等は、基本的に無機フィラー等の添加剤に依らず、溶剤系(非水系)インクジェットインクの馴染みがよく、しかも滲みの抑制された印刷画像を付与すべく樹脂塗膜自体の物性改善を種々検討した。その結果、ポリエステル樹脂塗料で使用するポリエステル樹脂の数平均分子量、水酸基価を特定し且つイソシアネート系硬化剤との配合比を規制すると、顔料インクが塗膜面で適度に広がり、滲みの抑制された印刷画像が得られることを見出した。
【０００８】
本発明は、数平均分子量、水酸基価が特定されたポリエステル樹脂とイソシアネート系硬化剤との配合比がインクジェット印刷画像の画質に影響を及ぼしているとの知見をベースとし、ポリエステル樹脂の数平均分子量、水酸基価及びイソシアネート系硬化剤との配合比を適正管理することにより、滲みの抑制されたインクジェット印刷画像を形成でき、しかもプレコート用に必要な加工性、耐磨耗性を備えた塗装金属板を提供することを目的とする。
【課題を解決するための手段】
【０００９】
本発明のインクジェット印刷用塗装金属板は、色材顔料、高沸点溶剤及び樹脂分散物を含む非水系顔料インクを用いてインクジェット印刷する塗装金属板であり、（ａ）数平均分子量：１，０００〜３５，０００、水酸基価：２〜１２０ｍｇＫＯＨ／ｇのポリエステル樹脂と、（ｂ）ポリイソシアネート化合物を、ポリエステル樹脂とポリイソシアネート化合物の固形分質量比が（ａ）／（ｂ）＝９／１〜６／４で含む塗料から成膜されたインク受容塗膜が金属板表面に形成されていることを特徴とする。
【００１０】
ポリイソシアネート化合物には、ヘキサメチレンジイソシアネート、リジンジイソシアネート、イソホロンジイソシアネート、トリメチルヘキサメチルジイソシアネート等の脂肪族又は脂環族ジイソシアネート、及びこれらのブロック化イソシアネートから選ばれた一種又は二種以上が使用される。
ポリエステル樹脂の数平均分子量、水酸基価及びポリイソシアネート化合物との配合比が特定された塗料から成膜されたインク受容塗膜にインクジェット印刷すると、耐久性に優れ滲みのない鮮明な印刷画像が付与されたインクジェット印刷塗装金属板となる。
【発明の効果】
【００１１】
インクジェット印刷用の写真光沢紙は、炭酸カルシウム、カオリン等の無機フィラーを大量添加している。無機フィラー／塗膜樹脂の界面に生じる微小な空隙に顔料インクが毛管現象で浸透し、滲みのない鮮明な印刷画像が発現する。しかし、大量の無機フィラーが添加されているので伸び率の小さな硬質塗膜であり、プレコート用には適用できない。
プレコート用に要求される加工性を確保するため無機フィラーの配合を省略又は軽減した塗膜に溶剤系顔料インクを塗布すると、顔料インクが塗膜面の広範囲に展開し(滲み)、印刷画像の鮮明度が低下しやすい。また、塗膜面に対する顔料インクの親和性が低いとインク層の密着性が悪く、インク層の脱落による印刷画像の劣化が視認されやすくなる。
【００１２】
本発明者等は、塗膜の微細空隙に毛管現象で顔料インクを浸透させることに代え、顔料インクの溶剤で塗膜の一部表面を膨潤させると、インク受容塗膜と顔料インクとの相溶が進行し、且つインク受容塗膜に対してインク層が物理的に絡み合い顔料インクが塗膜面に定着するとの前提で、顔料インクの溶剤で塗膜の表面が局部的に膨潤しやすい塗膜構成を調査・検討した。
【００１３】
塗膜の表面一部を局部的に膨潤させる上では、塗布された溶剤系顔料インクが塗膜面の広範囲に展開することなく表面一部に滞留し、滞留部分の塗膜が顔料インクの溶剤で膨潤する時間を確保する必要がある。顔料インクの部分的滞留は、顔料インクに対するインク受容塗膜の濡れ性を小さくすることにより達成できる。濡れ性は対インク接触角で評価でき、対インク接触角を１０〜４０度に調整することにより滲みのない鮮明な印刷画像を付与できるインクジェット印刷用塗装金属板が得られる。
対インク接触角が１０〜４０度に調整されたインク受容塗膜は、数平均分子量：１，０００〜３５，０００、水酸基価：２〜１２０ｍｇＫＯＨ／ｇのポリエステル樹脂（ａ）に対し固形分質量比：（ａ）／（ｂ）＝９／１〜６／４でポリイソシアネート化合物（ｂ）を配合したポリエステル樹脂塗料から成膜される。
【００１４】
対インク接触角が調整された塗膜面に溶剤系顔料インクを塗布すると、顔料インクは塗膜面の広範囲に展開されず表面一部に盛り上がった状態で滞留する。顔料インクの盛上りは、印刷画像の輪郭を明確化し滲み防止に有効である。また、盛り上がった顔料インクが塗膜面と接触するので、顔料インクに含まれている溶剤が希釈されることなく塗膜面の膨潤を進行させる。その結果、塗膜／インク層の相溶が進行すると共に界面が複雑に絡み合い、顔料インクを所定個所に確保する拘束力、ひいては顔料インクの定着性が向上する。
【発明を実施するための最良の形態】
【００１５】
本発明に従った溶剤系(非水系)顔料インク用のインクジェット印刷用塗装金属板は、めっき鋼板、ステンレス鋼板、冷延鋼板、アルミニウム板等を下地金属板１とし、下地金属板１の上にインク受容塗膜２を設けた構成を基本としている(図１a)。所定パターンでインクジェットインク層３をインク受容塗膜２に重ねることにより、印刷画像が付与される。印刷画像を保護するクリア上塗り塗膜４をインク受容塗膜２、インクジェットインク層３に積層しても良い(図１c，１d)。
【００１６】
下地金属板１の地肌を隠蔽する場合、有色の塗料組成物を用い膜厚：１０〜２０μｍでインク受容塗膜２を形成する必要がある。１０μｍ未満の薄膜では下地金属板１を充分に隠蔽できず、逆に２０μｍを超える厚膜では塗料焼付け時に塗膜中の残留溶剤が急激に気化し、ワキと称されるピンホール状の塗膜欠陥が懸念される。
最外層として設けられるクリア上塗り塗膜４は、ワキ等の表面欠陥が発生しない限り膜厚に関する制約はない。クリア上塗り塗膜４にシリカ等の骨材を添加すると、艶消し調の塗膜外観が得られる。
また、防錆顔料を配合したプライマ層５を下地金属板１とインク受容塗膜２との間に介在させると、耐食性が改善された塗装金属板となる(図１b，１d)。
【００１７】
インク受容塗膜は、数平均分子量：１，０００〜３５，０００、水酸基価：２〜１２０ｍｇＫＯＨ／ｇのポリエステル樹脂（ａ）を、ポリエステル樹脂に対して質量比：（ａ）／（ｂ）＝９／１〜６／４でポリイソシアネート化合物（ｂ）を配合した塗料から成膜される。ポリエステル樹脂には、二塩基酸と多価アルコールの重縮合反応で合成される。ポリエステル樹脂の数平均分子量、水酸基価及びポリイソシアネート化合物との配合比を特定することにより、顔料インクの定着に適した対インク接触角がインク受容塗膜に付与される。
【００１８】
塗料のポリエステル樹脂は、二塩基酸と多価アルコールとの重縮合で得られる高分子化合物である。
二塩基酸には、芳香族ジカルボン酸、脂肪族ジカルボン酸又はそれらの酸無水和物がある。たとえば、無水フタル酸、オルトフタル酸、イソフタル酸、テレフタル酸、マレイン酸、無水マレイン酸、フマル酸、アジピン酸等が単独で或いは二種以上を混合して使用される。良好な耐光性を得るためには、重縮合後に１，２−ベンゼン−ジカルボニル構造を形成する無水フタル酸及び／又はオルトフタル酸が含まれていることが好ましい。フェニル基を含まないアジピン酸も、好適な二塩基酸として使用できる。
【００１９】
多価アルコールには、エチレングリコール、ジエチレングリコール、トリエチレングリコール、プロピレングリコール、ペンチルグリコール、ネオペンチルグリコール、トリメチロールエタン等があり、単独又は二種以上を混合して使用できる。良好な耐光性を得るためには、ペンチルグリコールのように脂肪族鎖の長いグリコールの使用が好ましく、なかでも重合後に２，２−ジメチルトリメチレン構造を形成するネオペンチルグリコールの使用が好ましい。
【００２０】
塗料には、数平均分子量：１，０００〜３５，０００のポリエステル樹脂が使用される。１，０００未満の数平均分子量ではインク受容塗膜の伸びが不足して加工時に塗膜割れが生じやすく、加工性に劣る塗装金属板となる。小さすぎる分子量は、インク受容塗膜２に対するクリア上塗り塗膜４の親和性，密着性を低下させ、層間剥離の発生原因ともなる。逆に３５，０００を超える数平均分子量では、インク受容塗膜２／クリア上塗り塗膜４間の分子量差が大きくなりすぎ、インク受容塗膜２／クリア上塗り塗膜４の層間密着性が低下する傾向にある。
【００２１】
ポリエステル樹脂の硬化には、イソシアネート系硬化剤が使用される。たとえば、トリレンジイソシアネート、ジフェニルメタンジイソシアネート等の芳香族ジイソシアネートやヘキサメチレンジイソシアネート、リジンジイソシアネート、イソホロンジイソシアネート、トリメチルヘキサメチレンジイソシアネート等の脂肪族、脂環族ジイソシアネート、或いはこれらのブロック化イソシアネートが挙げられる。塗膜に適度な伸びを与える上では、脂肪族又は脂環族ジイソシアネート、或いはこれらのブロック化イソシアネートが好適であり、以下"ポリイソシアネート化合物"と称する。
【００２２】
ポリイソシアネート化合物（ｂ）は、固形分質量比：（ａ）／（ｂ）＝９／１〜６／４の割合でポリエステル樹脂（ａ）に配合される。
（ａ）／（ｂ）が６／４未満、すなわちポリイソシアネート化合物の配合量が過剰になると、塗膜が硬質化しすぎて伸び、耐磨耗性が低下する。また、ポリイソシアネート化合物の過剰配合に伴い架橋密度が高くなり、塗膜への顔料インクの浸透を妨げ、且つ塗膜の対インク接触角を小さくし、インク層／インクジェット受容塗膜の層間密着性を低下させる原因にもなる。
【００２３】
逆に、（ａ）／（ｂ）が９／１を超えるポリイソシアネート化合物の過小配合はポリエステル樹脂の架橋不足をもたらし、顔料インクの溶媒と接したインクジェット受容塗膜が極端に膨潤する。インク受容塗膜に顔料インクも浸透しやすくなるので、この場合も対インク接触角が小さくなり、インク層／塗膜の境界に滲みが発生しがちになる。架橋不足は乾燥性を低下させる原因でもあり、これによってもインク受容塗膜／上塗り塗膜の層間密着性低下が懸念される。
【００２４】
数平均分子量，水酸基価，配合比により対インク接触角が適正管理されたポリエステル塗膜は、１０〜４０度(好ましくは、１５〜３０度)の範囲に接触角があり、顔料インクの濡れ拡がりを抑え、印刷画像の耐滲み性を向上させる。１０〜４０度の接触角は、塗膜の表面一部に滞留している顔料インクの溶剤により滞留部分の塗膜が膨潤することを促し、ポリエステル塗膜に対する顔料インクの密着性向上にも有効である。１０度未満の接触角では、塗膜面の広範囲に顔料インクが展開され、滲みによる画質の大幅低下が懸念される。逆に４０度を超える接触角では、顔料インクがポリエステル塗膜面で過剰に弾かれ、インク層の塗膜密着性を充分に確保できない。
【００２５】
プレコート用の塗膜は、２５％に達しない不十分な伸び率では加工時に塗膜割れが生じやすく、加工性に劣る塗装金属板となる。低い伸び率は、インク受容塗膜／クリア上塗り塗膜間の層間密着性を低下させる原因にもなる。逆に１２０％を超える伸び率では、インク受容塗膜が伸びすぎ、却ってインク受容塗膜／クリア上塗り塗膜間の層間密着性を低下させる。前述したポリエステル樹脂の数平均分子量、水酸基価、ポリイソシアネート化合物との配合比を維持するとき、２５〜１２０％の伸び率も保障される。
【００２６】
プレコート用に要求される塗膜物性に悪影響を及ぼさない限り、種々の顔料をインク受容塗膜用の塗料に配合できる。配合可能な顔料には、二酸化チタン、炭酸カルシウム、カオリン、硫酸バリウム、タルク、水酸化アルミニウム、水酸化マグネシウム、炭酸マグネシウム、酸化亜鉛、硫酸マグネシウム、ケイ酸カルシウム、ケイ酸アルミニウム、ケイ酸マグネシウム、硫酸カルシウム、シリカ、セリサイト、ベントナイト、スメクタイト等の鉱物顔料やポリスチレン樹脂、尿素樹脂、アクリル樹脂、メラニン樹脂、ベンゾグアナミン樹脂等の微粒子又は微小中空粒子等の有機合成粒子がある。
【００２７】
顔料は、単独で或いは一種又は二種以上を複合して配合できる。顔料の配合量は、ポリエステル樹脂，ポリイソシアネート化合物を含むバインダー成分：１００質量部に対し１２０質量部以下にすることが好ましい。１２０質量部を超える過剰量の顔料を配合すると、塗膜の加工性や塗装作業性への悪影響が懸念される。
【００２８】
インクジェット受容塗装金属板に対する画像付与に使用される溶剤系(非水系)顔料インクは、色材顔料、高沸点溶剤を含み、分散剤、浸透剤、低沸点溶剤、酸化防止剤、紫外線吸収剤等が必要に応じて添加されている。色材顔料は、充分な濃度の印刷画像を得るため溶剤系顔料インクに３〜２０質量％の割合で配合することが好ましい。
【００２９】
色材顔料には、カーボンブラック、アセチレンブラック、ファーネストブラック、チャンネルブラック、ランプブラック、C.I.ピグメントブラック、オルトアニリンブラック、トルイジンオレンジ、パーマネントカーミンFB、ファーネストイエローAAA、ジスアゾオレンジPMP、レーキレッドC、ブリリアントカーミン6B、フタロシアニンブルー、キナクリドンレッド、C.I.ピグメントブルー、C.I.ピグメントレッド、C.I.ピグメントイエロー、ジオキサンバイオレット、ビクトリアピュアブルー、アルカリブルートナー、アルカリブルーRトナー、ファーストイエロー10G、オルトニトロアニリンオレンジ、トルイジンレッド、バリウムレッド2B、カルシウムレッド2B、ピグメントスカーレッド3Bレーキ、メチルバイオレットレーキ、ベーシックブルー6Bレーキ、ファーストスカイブルー、レフレックスブルーG、ブリリアントグリーンレーキ、フタロシアニングリーンG、紺青、群青、酸化鉄粉、水酸化鉄粉、亜鉛華、炭酸カルシウム、クレー、硫酸バリウム、アルミナホワイト、アルミニウム粉、昼光蛍光顔料、パール顔料、酸化チタン等がある。
【００３０】
インクジェットインク用色材顔料は、レーザ光散乱法による積算粒度５０％の値である平均分散粒子径が３０〜３００ｎｍの範囲にあり、最大粒子径：５００ｎｍ以下が好ましい。色材顔料の平均分散粒子径が３０ｎｍ未満では、小さすぎる粒径のため耐光性が低下する。しかし、３００ｎｍを超える平均分散粒子径や５００ｎｍを超える最大粒子径(99％値)の顔料を配合すると、インク中で顔料が凝集・沈殿しやすくなり、画像部分の発色性低下も散見される。
【００３１】
溶剤系顔料インクには、沸点：１００〜４００℃(好ましくは、１２０〜３５０℃)の溶剤が使用される。溶剤は、色材顔料の安定した分散媒体となり、インクジェットヘッドのノズル先端にインクが固着することを防止する作用も呈する。顔料インクに付与する溶剤の種類に応じインク受容塗膜の対インク接触角が若干変動するが、通常の溶剤を使用する限り１０〜４０度の接触角を維持できる。
【００３２】
溶剤には、室温におけるインクの乾燥抑制、インクジェットヘッドからの高速吐出が可能な流動特性も要求されるので、溶剤系顔料インクに高沸点溶剤を５０〜９５質量％配合することが好ましい。高沸点溶剤には脂肪族炭化水素系、カルビトール系、セロソルブ系、高級脂肪族エステル系、高級アルコール系、高級脂肪族系、芳香族炭化水素系等がある。なかでも流動パラフィン、脂肪族炭化水素系溶剤は、臭気が少ない好適な溶剤である。
【００３３】
脂肪族炭化水素系溶剤には、IPソルベント(出光石油化学製)、シェルゾールD40、シェルゾールD70、シェルゾール70、シェルゾール71(以上、シェルケミカルズジャパン製)、アイソバーE、アイソバーG、アイソバーH、アイソバーL、アイソバーM、エクソールD30、エクソールD40、エクソールD80、エクソールD110、エクソールD130、エクソールD140、エクソールDSP100／140(以上、エクソン化学製)等が挙げられる。
【００３４】
カルビトール系溶剤にはブチルカルビトール、セロソルブ系溶剤にはエチルセロソルブがある。高級脂肪酸エステル系溶剤にはジオクチルフタレート、ジブチルコハク酸イソブチルエステル、アジピン酸イソブチルエステル、セバシン酸ジブチル、セバシン酸ジ２−エチルヘキシル等が挙げられ、高級アルコール系溶剤にはメチルヘキサノール、オレイルアルコール、トリメチルヘキサノール、トリメチルブタノール、テトラメチルノナノール、２−ペンチルノナノール、２−ノニールノナノール、２−ヘキシルデカノール等が挙げられ、芳香族炭化水素系溶剤にはジイソプロピルナフタレンが挙げられる。
【００３５】
これらの溶剤は単独でも使用可能であるが、脂肪族炭化水素系溶剤と極性溶剤とを併用すると、非水系顔料インクの粘度が適度に調整され、プリンタヘッドとインクとの接液部分の濡れ性も調整される。インク受容塗膜の対インク接触角、膨潤性を高める上では、脂肪族炭化水素系溶剤よりもエステル、エーテル、ケトン等の官能基を含んだ極性溶剤の配合比率を多くすることが好ましい。なかでも、極性溶剤の配合比率を６０％以上とすることが好適である。
【００３６】
極性溶剤としては、たとえば長鎖アルコール、グリコール、ポリグリコール、グリコール／ポリグリコールのエステル、エーテル等があり、特にグリコール／ポリグリコールのモノ及びジアルキルエーテル、ケトン等が使用される。たとえば、セバシン酸ジオクチルエステル等のジカルボン酸エステルも極性溶剤に使用できる。
【００３７】
非水系顔料インクに色材顔料を分散させる上で、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテル-エステル型アニオン活性剤、ナフタレンスルホン酸ホルマリン縮合物塩、芳香族スルホン酸ホルマリン縮合物塩、ポリオキシエチレンアルキルリン酸エステル、ポリオキシエチレンノニルフェニルエーテル、ステアリルアミンアセテート等を分散剤として使用できる。
【００３８】
更に、亜麻仁油変性アルキッド樹脂、ポリスチレン、ロジン系樹脂、テルペンフェノール系樹脂、アルキルフェノール変性キシレン樹脂等の極性樹脂を添加すると、非水系顔料インクの保存安定性が向上する。保存安定性向上のためには、金属封鎖剤、表面張力調整剤、界面活性剤、粘度調整剤、消泡剤、抑泡剤、離型剤、発泡剤、浸透剤、蛍光増白剤、紫外線吸収剤、防腐剤、耐水化剤、レオロジーモディファイヤー、酸化防止剤等の添加剤を適宜組み合わせて添加しても良い。
【実施例】
【００３９】
インクジェット受容塗装金属板の製造
塗料主成分であるポリエステル樹脂は、表１の多塩基酸、多価アルコールを反応容器に入れ、全仕込み量の０．０６質量％に当る割合でジブチルスズオキサイド(重合触媒)を加え、１５０〜２００℃で４〜６時間かけてエステル化することにより用意した。表中、数平均分子量はゲルパーシェーションクロマトグラフィ(カラムにGPCカラム：東洋ソーダ製のSHODEX KF-803、溶媒にテトラヒドロフランを使用)で測定した値を、水酸基価はJIS K1557(6.4)で測定した値を示す。
【００４０】
【表１】
2008272979.tif 000003
【００４１】
数平均分子量：５００〜４５，０００のポリエステル樹脂(a)を主成分とし、ポリエステル樹脂に固形分質量比：（ａ）／（ｂ）＝９／１〜６／４でポリイソシアネート化合物(b)を配合し、不揮発分：約４０質量％のポリエステル樹脂塗料を調合した。ポリイソシアネート化合物には、トリレンジイソシアネート(TDI)、ヘキサメチレンジイソシアネート(HMDI)、トリメチルヘキサメチレンジイソシアネート(TMDI)、イソホロンジイソシアネート(IPDI)を使用した。また、（ａ）、（ｂ）の合計固形分量：１００質量部に対し０〜９０質量部の割合で酸化チタン顔料(CR-91，石原産業製)を配合した。調合したポリエステル樹脂塗料の組成を表２に示す。
【００４２】
【表２】
2008272979.tif 000004
【００４３】
板厚：０．５ｍｍの亜鉛めっき鋼板を脱脂、表面調整して塗布型クロメート処理した後、ポリエステル樹脂塗料を塗布し、板温：２２０℃で１分間焼き付けることにより、乾燥膜厚：１５μｍの白色インク受容塗膜を有する塗装金属板を製造した。
金属板表面に形成されたポリエステル樹脂塗膜の伸び率、耐磨耗性、対インク接触角、塗布したインクの乾燥性を次の試験で調査した。
【００４４】
塗膜伸び率の測定には、フッ素加工した亜鉛めっき鋼板にポリエステル樹脂塗料を塗布し、２２０℃×１分の焼付けで作製された乾燥膜厚：１８μｍ遊離塗膜を用いた。サイズ：５ｍｍ×３０ｍｍの遊離塗膜を精密万能試験機(オートグラフAGC-100B：島津製作所製)にかけ、JIS Z8703で規定された恒温恒湿槽内で応力−歪曲線(引張速度：２０ｍｍ／分)を測定し、応力−歪曲線に現れた塗膜の破断点から伸び率を求めた。
【００４５】
摩耗試験では、塗装金属板を打抜き加工し、直径：１２０ｍｍの円板状試験片を切り出した。試験片の中央に直径：６ｍｍの穴を開け、重量測定後にテーバー試験機〔荷重：1000g (500g×2)、摩耗輪：CS-10)に取り付け、２００回転させた後で試験片を計量した。摩耗試験前後の重量変化から摩耗減量を求め、テーバー指数＝摩耗減量(ｍｇ)×１０００／回転数(200)に従ってテーバー指数を算出した。テーバー指数が大きな値を示すほど、摩耗しやすい材料である。
【００４６】
接触角(対インク接触角)は、シアンインク(SS2インク：ミキシマエンジニアリング製)を塗装金属板の表面に滴下し、接触角測定装置(CONTACT ANGLE METER CA-Z：協和界面科学製)で測定した。接触角の測定を七回繰り返し、上限、下限の二回を除いた五回の平均値として対インク接触角を算出した。
インク乾燥性は、塗膜面の５ｃｍ×５ｃｍ領域にイエロー、マゼンタ、シアン、ブラックをインクジェット印刷し、印刷１０分後に印刷面を綿棒で擦り、綿棒のインク付着状況を調査した。四色全てでインク付着が検出されなかった塗膜を○、一色でもインク付着が生じていた塗膜を×と評価した。
【００４７】
表３の調査結果にみられるように、ポリエステル樹脂の数平均分子量，水酸基価及びポリエステル樹脂とポリイソシアネート化合物の固形分質量比が本発明で規定した条件を満足する塗料から成膜された塗膜は、伸び率、耐磨耗性、インク乾燥性の何れも優れており、顔料インクを塗膜の一部表面に滞留させるために必要な１０〜４０度の範囲に対インク接触角が保たれていた。
【００４８】
これに対し、架橋密度が低すぎる比較例の塗料Ｎｏ.２４では顔料インクによりインク受容塗膜が過度に膨潤し、架橋密度が高すぎる塗料Ｎｏ.２５〜２７ではインク受容塗膜がほとんど膨潤しなかった。何れの塗膜も、対インク接触角が小さく滲みが大きくなるため、鮮明な印刷画像が得られなかった。
【００４９】
水酸基価が高すぎる比較例の塗料Ｎｏ.２８、数平均分子量が小さすぎる塗料Ｎｏ.２９は、ポリエステル樹脂が過度に架橋されており、耐磨耗性が低く対インク接触角も１０度以下の小さな値であった。数平均分子量：４５，０００、水酸基価：１ｍｇＫＯＨ／gの塗料Ｎｏ.３０〜３３は、架橋点が少ないため顔料インクによるインク受容塗膜の膨潤が過度に進行し、対インク接触角：１０度以下でインクの滲みやすい塗膜であった。何れの塗膜に付与された印刷画像も、滲みによりインク層の境界が不鮮明化したため品質に劣る印刷塗装金属板となった。
【００５０】
【表３】
2008272979.tif 000005
【００５１】
次いで、インクジェットプリンタで溶剤系顔料インクを塗装金属板に付着させ、乾燥膜厚：０．５〜３．０μｍのインク層で所定画像を付与した。溶剤系顔料インクにはイエロー、マゼンタ、シアン、ブラックのＳＳ２インク(ミマキエンジニアリング製)、インクジェットプリンタにはJV-3(ミマキエンジニアリング製)を用い、１００μｍ×５ｃｍの細線及び５ｃｍ×５ｃｍの四色の画像を印刷した。
【００５２】
インクジェット印刷された塗装金属板について、印刷部分境界の滲み性、インク層密着性、塗膜密着性を次の試験で調査した。
データ値として細線太さが１００μｍのイエロー、マゼンタ、シアン、ブラックの細線を印刷し、印刷された細線の太さを測定した。四色全ての細線が太さ１２０μｍ以下を○、１２０〜１５０μｍを△、１５０μｍ以上を×として印刷部分境界の滲み性を評価した。
【００５３】
インク層密着性試験では、イエロー、マゼンタ、シアン、ブラックを５ｃｍ×５ｃｍで印刷した塗装金属板から切り出された試験片を用い、平坦部密着性、加工部密着性を調査した。
各試験片に碁盤目エリクセン試験(JIS G3320に規定されている碁盤目を入れ、６ｍｍ押し出す試験)に供し、粘着テープの剥離に伴うインク層の剥離の有無を調査し、四色の何れも剥離が発生していない試験片を○、一色でも剥離した試験片を×として平坦部密着性を評価した。
【００５４】
加工部密着性試験では、同じくイエロー、マゼンタ、シアン、ブラックを５ｃｍ×５ｃｍで印刷した塗装金属板から切り出された試験片を用い、２０℃の室内で１８０度折曲げ加工した。曲げ部外側に粘着テープを押し当てた後、瞬時に引き剥がし、粘着テープの剥離に伴ったインク層の剥離状況を観察した。四色の何れも剥離が発生していない試験片を○、一色でも剥離した試験片を×として加工部密着性を評価した。
【００５５】
更に、インクジェット印刷後の塗装金属板にクリア樹脂塗料を塗布し、焼付け・乾燥により乾燥膜厚：１０μｍ、ガラス転移温度Ｔｇ：２０℃のクリア上塗り塗膜を設けた。クリア樹脂塗料には、数平均分子量：１０，０００のポリエステル樹脂を主成分とし、樹脂固形分：１００質量部に対し３８質量部のメラミンを配合したポリエステル系樹脂塗料を使用した。
得られたクリア上塗り塗膜についても、インク層密着性試験と同じ試験で平坦部密着性、加工部密着性を調査した。
【００５６】
表４の調査結果にみられるように、本発明例の塗装金属板では、溶剤系顔料インクによりインク受容塗膜が適度に膨潤し、印刷画像に悪影響を及ぼすようなインクの滲みも生じていなかった。インク層、クリア上塗り塗膜共に平坦部密着性、加工部密着性に優れており、顔料無添加の系でも顔料配合系と同様な優れた印刷適正を示した。
これに対し、架橋密度が低すぎるインク受容塗膜や架橋密度が高すぎるインク受容塗膜を設けた比較例では、何れの場合も対インク接触角が小さく、塗膜面の広範囲に顔料インクが展開したため適正な膨潤が得られず、滲みが大きく顔料の定着が不十分な印刷画像となった。また、分子量が高すぎるポリエステル樹脂(塗料No.３０〜３３)や低すぎるポリエステル樹脂(塗料No.２９)を主成分とするインク受容塗膜では、インク層の加工部密着性、クリア上塗り塗膜の加工部密着性に劣っていた。
【００５７】
【表４】
2008272979.tif 000006
【図面の簡単な説明】
【００５８】
【図１】インクジェット印刷した塗装金属板の断面を示す模式図
【図１】
2008272979.tif 000007